(57)【要約】【課題】本発明は、厚い被挟持物であっても薄い被挟持物であっても確実に筆記具をクリップ留めできるようにした筆記具のクリップ構造を提供する。【解決手段】筆記具１のクリップ構造においては、長手方向に延在するクリップ本体１０とクリップ支持体２との間に転動体１１が配置され、この転動体１１は、クリップ本体１０に形成された転動体収容凹部Ｓ内に配置され、転動体収容凹部Ｓの前側の壁面に後方上がりの傾斜面Ｒが形成されている。そして、この転動体１１は、転動体収容凹部Ｓ内で前後方向に移動可能である。前述した筆記具１では、クリップ本体１０自体がもっているクリップ力（矢印Ｄ）に加えて、そのクリップ力を補助するように、転動体１１でも係止力を発生させる構造になっているので、薄い被挟持物Ｈは勿論のこと、厚い被挟持物Ｈであっても筆記具１を確実にクリップ留めすることができる。【選択図】図２
2014030990.tif 000002
【特許請求の範囲】
【請求項１】
クリップ本体と、前記クリップ本体を支持するクリップ支持体との間で、被挟持物を前記クリップ本体のクリップ力により挟み込むようにした筆記具のクリップ構造であって、
長手方向に延在する前記クリップ本体と前記クリップ支持体との間に転動体が配置され、前記クリップ本体には、前記転動体を収容する転動体収容凹部が形成され、前記転動体収容凹部の前側の壁面には、後方上がりの傾斜面が設けられ、前記転動体は、前記転動体収容凹部内で前後方向に移動可能であることを特徴とする筆記具のクリップ構造。
【請求項２】
前記転動体には、表面摩擦抵抗部が設けられていることを特徴とする請求項１記載の筆記具のクリップ構造。
【請求項３】
前記転動体に後方から当接させられるプッシュ部を、後方からバネ手段により付勢することを特徴とする請求項１又は２記載の筆記具のクリップ構造。
【発明の詳細な説明】
【技術分野】
【０００１】
本発明は、筆記具のキャップや軸筒に適用されるクリップ構造に関するものである。
【背景技術】
【０００２】
従来、このような分野の技術として、特開２００２−１４４７８５号公報がある。この公報に記載された筆記具には、軸筒の後端から軸線方向に延在するクリップが開示されている。このクリップは、後端が軸筒に一体成形されていると共に、樹脂によって形成されているので、樹脂の弾性変形によってクリップ力を発生させている。そして、クリップの先端には玉部が一体的に形成され、玉部は軸筒の表面にクリップ力により圧着させられている。これによって高いクリップ力をもって、薄い紙や服のポケット（被挟持物）であっても、筆記具が外れ難くなる。
【先行技術文献】
【特許文献】
【０００３】
【特許文献１】特開２００２−１４４７８５号公報
【発明の概要】
【発明が解決しようとする課題】
【０００４】
しかしながら、前述した従来の筆記具のクリップ構造にあっては、クリップの経年変化により、クリップの玉部と軸筒との間に隙間が生じると、筆記具が被挟持物から外れ易くなってしまう。また、クリップの玉部を軸筒の表面に強く圧着させるようにすると、高いクリップ力により薄い紙や服のポケット（被挟持物）から筆記具が脱落し難くなるが、厚い紙やファイルなどの厚い被挟持物をクリップで挟み難くしてしまうといった問題点がある。
【０００５】
本発明は、厚い被挟持物であっても薄い被挟持物であっても確実に筆記具をクリップ留めできるようにした筆記具のクリップ構造を提供することを目的とする。
【課題を解決するための手段】
【０００６】
本発明は、クリップ本体と、クリップ本体を支持するクリップ支持体との間で、被挟持物をクリップ本体のクリップ力により挟み込むようにした筆記具のクリップ構造であって、
長手方向に延在するクリップ本体とクリップ支持体との間に転動体が配置され、クリップ本体には、転動体を収容する転動体収容凹部が形成され、転動体収容凹部の前側の壁面には、後方上がりの傾斜面が設けられ、転動体は、転動体収容凹部内で前後方向に移動可能であることを特徴とする。
【０００７】
この筆記具のクリップ構造においては、長手方向に延在するクリップ本体とクリップ支持体との間に転動体が配置され、この転動体は、クリップ本体に形成された転動体収容凹部内に配置され、転動体収容凹部の前側の壁面に後方上がりの傾斜面が形成されている。そして、この転動体は、転動体収容凹部内で前後方向に移動可能であるから、クリップ本体とクリップ支持体との間に被挟持物が差し込まれると、転動体収容凹部内で転動体は後退しながら上方に持ち上げられた状態になる。これによって、クリップ本体とクリップ支持体との間に被挟持物をスムーズに差し込むことができる。この状態から、被挟持物を差込み方向と逆の方向に引き戻すと、被挟持物と一緒に転動体は自転しながら前進して、転動体が傾斜面に圧着される。これによって、転動体が傾斜面に係止させられ、その後、被挟持物を更に引き戻すように引くと、転動体が傾斜面に強く圧着され、その結果として、転動体が被挟持物に食い付くように強く圧着させられ、筆記具は被挟持物にクリップ留めされる。また、クリップ本体から被挟持物を外す場合、被挟持物を差込み方向に僅かに移動させると、転動体は転動体収容凹部内で自由になり、その後に、被挟持物を横に滑らせば、クリップ本体から被挟持物を外すことができる。また、被挟持物を横抜きできない場合でも、クリップ本体自体のクリップ力に抗してクリップ本体の先端を持ち上げることで、転動体が傾斜面に圧着されている状態を容易に解除することができ、その後、被挟持物を真っ直ぐ引くことで、クリップ本体から被挟持物を容易に外すことができる。このように、本発明では、クリップ本体自体がもっているクリップ力に加えて、そのクリップ力を補助するように、転動体でも係止力を発生させる構造になっているので、薄い被挟持物は勿論のこと、厚い被挟持物であっても筆記具を確実にクリップ留めすることができる。よって、従来のように、薄い被挟持物への適用を可能にするために、クリップ本体の玉部をクリップ支持体の表面に強く圧着させるような構造を必要とせず、クリップ本体の先端の玉部とクリップ支持体の表面との間の隙間が経年変化により変化する影響が極めて少なくなる。なお、被挟持物を移動させて、筆記具に被挟持物をクリップ留めする場合について、上述したが、筆記具を移動させて、筆記具を被挟持物にクリップ留めする場合も同様の作用効果を奏する。
【０００８】
また、転動体には、表面摩擦抵抗部が設けられている。
このような構成によって、被挟持物によって転動体を確実に転動させることができ、しかも、傾斜面に対する転動体の係止力を高めて、被挟持物から筆記具が更に外れ難くなる。
【０００９】
また、転動体に後方から当接させられるプッシュ部を、後方からバネ手段により付勢する。
バネ手段とプッシュ部との協働により、クリップ本体の非使用時において、転動体を傾斜面に常に当接させておくことができるので、転動体収容凹部内での転動体の遊びが無くなり、これによって、転動体のガタ付きが無くなる。さらに、転動体の前後方向の移動を確実に行わせることができるので、付勢力によって転動体を確実に傾斜面に圧着させることができ、このような構成によって、筆記具を確実にクリップ留めすることができる。特に、このような構成は、水平方向に筆記具をクリップ留めする場合に効果的である。
【発明の効果】
【００１０】
本発明によれば、厚い被挟持物であっても薄い被挟持物であっても確実に筆記具をクリップ留めできる。
【図面の簡単な説明】
【００１１】
【図１】本発明に係るクリップ構造が適用された筆記具の第１の実施形態を示す斜視図である。
【図２】図１に示されたクリップ構造の半断面図である。
【図３】クリップ構造の要部拡大断面図である。
【図４】転動体と被挟持物との関係を示す断面図である。
【図５】本発明に係るクリップ構造の第２の実施形態を示す断面図である。
【発明を実施するための形態】
【００１２】
以下、図面を参照しつつ本発明に係る筆記具のクリップ構造の好適な実施形態について詳細に説明する。なお、ペン先側を「前方側」として以下説明する。
【００１３】
［第１の実施形態］
図１及び図２に示されるように、筆記具１は、軸筒（クリップ支持体）２を有し、この軸筒２内には交換可能な中芯３が装填されている。そして、筆記具１には、長手方向（軸線Ｌの延在方向）に沿って延在するクリップ本体１０と、クリップ本体１０を支持する軸筒２との間で被挟持物（例えば、ファイル、本、雑誌、服のポケットなど）Ｈにクリップ留め可能なように構成されたクリップ構造が採用されている。
【００１４】
樹脂又は金属からなるクリップ本体１０は、その基端が軸筒２に一体に成形されて弾性変形可能であり、基端を中心とした撓みによってクリップ力が発生する。クリップ本体１０の前部の裏面（軸筒２の表面に対面する面）１０ａには、円柱状の転動体１１を収容するための転動体収容凹部Ｓが形成されている。これによって、クリップ本体１０と軸筒２との間に転動体１１が配置されることになる。
【００１５】
転動体１１は、転動体収容凹部Ｓ内で前後方向に移動することができ、金属からなる転動体１１の中央には、全周に渡って延在するゴムリング１１ａが固定されている。このゴムリング１１ａは、表面摩擦抵抗部の一例であり、ゴムでなくても他の材質のものでもよく、転動体１１の表面全体にゴムを融着させてもよい。また、転動体１１は、円柱でなくても樽形であってもよい。転動体１１の材質は、安定した転がりを達成させるために、比重の大きな例えば真鍮などが好適である。
【００１６】
図３に示されるように、転動体収容凹部Ｓの前側の壁面には、後方上がりの平坦な傾斜面Ｒが設けられている。この傾斜面Ｒは、軸線Ｌに対して２０度から４５度の範囲が好適である。なお、この傾斜面Ｒは、凸状曲面、凹状曲面の何れであってもよい。転動体収容凹部Ｓの頂部には、開口部１２が形成されている。この開口部１２は、クリップ本体１０の表面（裏面１０ａに対向する面）１０ｂの前部に設けられている。この開口部１２によって、転動体１１の有無を確認でき、表面１０ｂに大きな突出部を形成させなくても済むので、クリップ本体１０の外観品質を良好にすることができる。
【００１７】
次に、筆記具１のグリップ構造に関する動作について説明する。なお、被挟持物Ｈを移動させて、筆記具１に被挟持物Ｈをクリップ留めする場合について説明する。
【００１８】
図４に示されるように、クリップ本体１０と軸筒（クリップ支持体）２との間に被挟持物Ｈが矢印Ａ方向に差し込まれると、転動体収容凹部Ｓ内で転動体１１は後退しながら上方に持ち上げられた状態になる。これによって、クリップ本体１０と軸筒２との間に被挟持物Ｈをスムーズに差し込むことができる。
【００１９】
この状態から、被挟持物Ｈを差込み方向Ａと逆の方向Ｂに引き戻すと、被挟持物Ｈと一緒に転動体１１は矢印Ｃ方向に自転しながら前進して、転動体１１が傾斜面Ｒに圧着される。これによって、転動体１１が傾斜面Ｒに係止させられ、その後、被挟持物Ｈを更に矢印Ｂ方向に僅かに引くと、転動体１１が傾斜面Ｒに強く圧着され、その結果として、転動体１１が被挟持物Ｈに食い付くように強く圧着させられ、筆記具１は被挟持物Ｈに強固にクリップ留めされる。
【００２０】
また、クリップ本体１０から被挟持物Ｈを外す場合、被挟持物Ｈを差込み方向Ａに僅かに移動させると、転動体１１は転動体収容凹部Ｓ内で自由になり、その後に、被挟持物Ｈを横に滑らせば、クリップ本体１０から被挟持物Ｈを外すことができる。
【００２１】
また、被挟持物Ｈを横抜きできない場合でも、クリップ本体１０自体のクリップ力（矢印Ｄ）に抗してクリップ本体１０の先端を持ち上げることで、転動体１１が傾斜面Ｒに圧着されている状態を容易に解除することができ、その後、被挟持物Ｈを矢印Ｂ方向に真っ直ぐ引くことで、クリップ本体１０から被挟持物Ｈを容易に外すことができる。
【００２２】
このように、前述した筆記具１では、クリップ本体１０自体がもっているクリップ力（矢印Ｄ）に加えて、そのクリップ力を補助するように、転動体１１でも係止力を発生させる構造になっているので、薄い被挟持物Ｈは勿論のこと、厚い被挟持物Ｈであっても筆記具１を確実にクリップ留めすることができる。よって、従来のように、薄い被挟持物Ｈへの適用を可能にするために、クリップ本体の玉部を軸筒の表面に強く圧着させるような構造を必要とせず、クリップ本体の先端の玉部と軸筒の表面との間の隙間が経年変化により変化する影響が極めて少なくなる。
【００２３】
また、表面摩擦抵抗部１１ａの採用によって、被挟持物Ｈによって転動体１１を確実に転動させることができ、しかも、傾斜面Ｒに対する転動体１１の係止力を高めて、被挟持物Ｈから筆記具１が更に外れ難くなる。
【００２４】
なお、被挟持物Ｈを移動させて、筆記具１に被挟持物Ｈをクリップ留めする場合について、上述したが、筆記具１を移動させて、筆記具１を被挟持物Ｈにクリップ留めする場合も同様の作用効果を奏する。
【００２５】
［第２の実施形態］
図５に示されるように、筆記具２３において、樹脂又は金属からなるクリップ本体２０は、長手方向すなわち軸線Ｌ方向に延在すると共に、その基端が軸筒（クリップ支持体）２２に一体に成形されて弾性変形可能であり、基端を中心とした撓みによってクリップ力（矢印Ｄ）が発生する。クリップ本体２０の前部の裏面（軸筒２２の表面に対面する面）２０ａには、球状の転動体２１を収容するための転動体収容凹部Ｓが形成されている。これによって、クリップ本体２０と軸筒２２との間に転動体２１が配置されることになる。
【００２６】
転動体２１は、転動体収容凹部Ｓ内で前後方向に移動することができ、金属からなる転動体２１の表面には、表面摩擦抵抗部の一例であるゴム２１ａが融着されている。表面摩擦抵抗部は、ゴムでなくても他の材質のものでもよい。また、転動体２１は、球でなくても円柱形又は樽形であってもよい。転動体２１の材質は、安定した転がりを達成させるために、比重の大きな例えば真鍮などが好適である。
【００２７】
転動体収容凹部Ｓの前側の壁面には、後方上がりの平坦な傾斜面Ｒが設けられている。この傾斜面Ｒは、軸線Ｌ（図１参照）に対して２０度から４５度の範囲が好適である。なお、この傾斜面Ｒは、凸状曲面、凹状曲面の何れであってもよい。クリップ本体２０の裏面２０ａには、軸線Ｌ方向において、転動体収容凹部Ｓと連通するプッシュ部ガイド凹部Ｓ１と、プッシュ部ガイド凹部Ｓ１に連通するバネ収容凹部Ｓ２と、が形成されている。
【００２８】
プッシュ部ガイド凹部Ｓ１内で軸線Ｌ方向に摺動する棒状のプッシュ部２４の先端には、転動体２１に面接触させるための湾曲面２４ａが形成されている。プッシュ部２４の後端には、バネ受け部２４ｂが設けられている。バネ収容凹部Ｓ２内には、プッシュ部２４を軸線Ｌ方向に付勢するための圧縮コイルバネ（バネ手段）２５が収容されている。圧縮コイルバネ２５の一端は、プッシュ部２４のバネ受け部２４ｂで係止され、圧縮コイルバネ２５の他端は、クリップ本体２０の基端からバネ収容凹部Ｓ２内に突出するバネ支持凸部２６の基端で支持されている。
【００２９】
このような構成によって、転動体２１に後方からプッシュ部２４の先端が当接させられ、プッシュ部２４が後方から圧縮コイルバネ２５により付勢させられる。
【００３０】
次に、筆記具２３のグリップ構造に関する動作を説明する。なお、この筆記具２３にあっては、転動体２１がバネ付勢されている以外、筆記具１と同様の作用効果を奏するので、違いのみを以下述べる。
【００３１】
圧縮コイルバネ２５とプッシュ部２４との協働により、クリップ本体２０の非使用時において、転動体２１を傾斜面Ｒに常に当接させておくことができるので、転動体収容凹部Ｓ内での転動体２１の遊びが無くなり、これによって、転動体２１のガタ付きが無くなる。さらに、転動体２１の前後方向の移動を確実に行わせることができるので、付勢力によって転動体２１を確実に傾斜面Ｒに圧着させることができ、このような構成によって、筆記具２３を確実にクリップ留めすることができる。特に、このような構成は、水平方向に筆記具２３をクリップ留めする場合に効果的である。
【００３２】
本発明は、前述した実施形態に限定されず、本発明の要旨を逸脱しない範囲で種々の変形が可能である。
【００３３】
例えば、クリップ支持体２，２２としては、ペン先の保護や乾きを防止するために着脱自在なキャップであってもよい。バネ手段としては、螺旋バネに限らず板バネであってもよい。
【符号の説明】
【００３４】
１，２３…筆記具  ２，２２…軸筒（クリップ支持体）  １０，２０…クリップ本体  １１，２１…転動体  １１ａ…ゴムリング（表面摩擦抵抗部）  ２１ａ…ゴム（表面摩擦抵抗部）  ２４…プッシュ部  ２５…圧縮コイルバネ（バネ手段）  Ｄ…クリップ力  Ｈ…被挟持物  Ｌ…軸線  Ｒ…傾斜面  Ｓ…転動体収容凹部
【図１】
2014030990.tif 000003
【図２】
2014030990.tif 000004
【図３】
2014030990.tif 000005
【図４】
2014030990.tif 000006
【図５】
2014030990.tif 000007